(57)【要約】【課題】指導の必要性が高い車種区分を検出することができる安全運転診断システムを提供すること。【解決手段】安全運転診断システムは、車両に搭載された車載機と、安全運転診断装置とを備える。車載機は、車両情報を取得する車両情報取得ユニットと、安全運転に関する評価を行う評価ユニットと、評価結果、車種区分、及び、ドライバの識別情報を含む車載機情報を生成する車載機情報生成ユニットとを備える。安全運転診断装置は、車載機情報を取得する車載機情報取得ユニットと、車載機情報のうち、指定されたドライバに対応する車載機情報に基づき、評価結果が悪い車種区分を検出する車種区分検出ユニットとを備える。【選択図】図１
2020071686.tif 000002
【特許請求の範囲】
【請求項１】
車両に搭載された車載機と、
安全運転診断装置と、
を備える安全運転診断システムであって、
前記車載機は、
前記車両の状態を表す車両情報を取得するように構成された車両情報取得ユニットと、
前記車両情報に基づき、安全運転に関する評価を行うように構成された評価ユニットと、
前記評価ユニットによる評価結果、前記車両の車種区分、及び、前記車両のドライバの識別情報を含む車載機情報を生成するように構成された車載機情報生成ユニットと、  
を備え、
前記安全運転診断装置は、
前記車載機情報を取得するように構成された車載機情報取得ユニットと、
前記車載機情報取得ユニットが取得した前記車載機情報のうち、指定されたドライバに対応する前記車載機情報に基づき、前記評価結果が予め設定された基準より悪い車種区分を検出するように構成された車種区分検出ユニットと、
を備える安全運転診断システム。
【請求項２】
請求項１に記載の安全運転診断システムであって、
前記車載機情報は、前記車載機情報を生成した生成時刻をさらに含み、
前記安全運転診断装置は、
前記車種区分検出ユニットが検出した前記車種区分、及び前記指定されたドライバに対応する前記車載機情報に含まれる前記評価結果が、前記生成時刻が新しくなるにつれて改善しているか否かを判断するように構成された改善判断ユニットをさらに備える安全運転診断システム。
【請求項３】
請求項２に記載の安全運転診断システムであって、
前記安全運転診断装置は、
前記車種区分検出ユニットが検出した前記車種区分が、前記評価結果が前記基準より悪くなる前に、前記指定されたドライバが予め設定された期間以上乗車していなかった車種区分であるか否かを判断するように構成された乗車履歴判断ユニットをさらに備える安全運転診断システム。
【請求項４】
請求項１〜３のいずれか１項に記載の安全運転診断システムであって、
前記基準より悪い車種区分とは、複数の車種区分の中で前記評価結果が相対的に悪い車種区分である安全運転診断システム。
【発明の詳細な説明】
【技術分野】
【０００１】
本開示は安全運転診断システムに関する。
【背景技術】
【０００２】
特許文献１には、ドライバの車両運転状況に対して安全運転診断を行う安全運転診断方法が開示されている。
【先行技術文献】
【特許文献】
【０００３】
【特許文献１】特開２００４−２３４２６０号公報
【発明の概要】
【発明が解決しようとする課題】
【０００４】
事業用自動車のドライバは、複数の車種区分の車両に乗車することがある。複数の車種区分の中には、事業者による指導が不充分である等の理由により、ドライバが安全運転を行うことが困難である車種区分が存在することがある。事業者による指導を効果的に行うためには、指導の必要性が高い車種区分を検出する必要がある。
【０００５】
本開示の一局面は、指導の必要性が高い車種区分を検出することができる安全運転診断システムを提供することを目的とする。
【課題を解決するための手段】
【０００６】
本開示の一局面は、車両に搭載された車載機と、安全運転診断装置と、を備える安全運転診断システムであって、前記車載機は、前記車両の状態を表す車両情報を取得するように構成された車両情報取得ユニットと、前記車両情報に基づき、安全運転に関する評価を行うように構成された評価ユニットと、前記評価ユニットによる評価結果、前記車両の車種区分、及び、前記車両のドライバの識別情報を含む車載機情報を生成するように構成された車載機情報生成ユニットと、を備え、前記安全運転診断装置は、前記車載機情報を取得するように構成された車載機情報取得ユニットと、前記車載機情報取得ユニットが取得した前記車載機情報のうち、指定されたドライバに対応する前記車載機情報に基づき、前記評価結果が予め設定された基準より悪い車種区分を検出するように構成された車種区分検出ユニットと、を備える安全運転診断システムである。
【０００７】
本開示の一局面である安全運転診断システムは、指定されたドライバにおいて、安全運転に関する評価の結果が悪い車種区分を検出することができる。安全運転に関する評価の結果が悪い車種区分は、指導の必要性が高い車種区分である。よって、本開示の一局面である安全運転診断システムは、指導の必要性が高い車種区分を検出することができる。
【図面の簡単な説明】
【０００８】
【図１】安全運転診断システム１の構成を表すブロック図である。
【図２】車載機３の機能的構成を表すブロック図である。
【図３】制御部３３の機能的構成を表すブロック図である。
【図４】車載機３が実行する処理を表すフローチャートである。
【図５】車載機情報５３の内容を表す説明図である。
【図６】安全運転診断装置５が実行する指導判定処理を表すフローチャートである。
【図７】生成時刻と総合点との関係を表すグラフである。
【発明を実施するための形態】
【０００９】
本開示の例示的な実施形態を、図面を参照しながら説明する。
＜第１実施形態＞
１．安全運転診断システム１の構成
安全運転診断システム１の構成を、図１〜図３に基づき説明する。図１に示すように、安全運転診断システム１は、車載機３と、安全運転診断装置５と、を備える。
【００１０】
車載機３は車両７に搭載されている。車載機３は、ＣＰＵ９と、例えば、ＲＡＭ又はＲＯＭ等の半導体メモリ（以下、メモリ１１とする）と、を有するマイクロコンピュータを備える。車載機３の各機能は、ＣＰＵ９が非遷移的実体的記録媒体に格納されたプログラムを実行することにより実現される。この例では、メモリ１１が、プログラムを格納した非遷移的実体的記録媒体に該当する。また、このプログラムが実行されることで、プログラムに対応する方法が実行される。なお、車載機３は、１つのマイクロコンピュータを備えてもよいし、複数のマイクロコンピュータを備えてもよい。
【００１１】
車載機３は、図２に示すように、車両情報取得ユニット１３と、評価ユニット１５と、車載機情報生成ユニット１７と、送信ユニット１９と、識別情報取得ユニット２０と、運行判断ユニット２２と、を備える。車載機３に含まれる各部の機能を実現する手法はソフトウェアに限るものではなく、その一部又は全部の機能は、一つあるいは複数のハードウェアを用いて実現されてもよい。例えば、上記機能がハードウェアである電子回路によって実現される場合、その電子回路は、デジタル回路、又はアナログ回路、あるいはこれらの組合せによって実現されてもよい。
【００１２】
図１に示すように、車両７は、車載機３に加えて、センサ群２１、免許証読取部２３、入力部２５、通信部２７、及びデータベース２９を備える。センサ群２１は、車両情報を取得する複数のセンサを備える。車両情報とは、車両７の状態を表す情報である。車両情報の内容として、速度、操舵量、エンジン回転数、ブレーキ操作量、車両７に加えられた衝撃の大きさ、車両７の位置、車両７の周囲又は車室内を撮影した画像、ウインカーの点灯状態等がある。
【００１３】
免許証読取部２３は、ドライバが保持する運転免許証から、ドライバの識別情報を読み取る。入力部２５はドライバの入力操作を受け付ける。通信部２７は、インターネット３１を介して、安全運転診断装置５との間で通信を行う。データベース２９は情報を記憶することができる。
【００１４】
安全運転診断装置５は、車両７の外部に固定設置されている。安全運転診断装置５は、制御部３３と、入力部３４と、通信部３５と、データベース３７と、を備える。制御部３３は、ＣＰＵ３９と、例えば、ＲＡＭ又はＲＯＭ等の半導体メモリ（以下、メモリ４１とする）と、を有するマイクロコンピュータを備える。
【００１５】
制御部３３の各機能は、ＣＰＵ３９が非遷移的実体的記録媒体に格納されたプログラムを実行することにより実現される。この例では、メモリ４１が、プログラムを格納した非遷移的実体的記録媒体に該当する。また、このプログラムが実行されることで、プログラムに対応する方法が実行される。なお、制御部３３は、１つのマイクロコンピュータを備えてもよいし、複数のマイクロコンピュータを備えてもよい。
【００１６】
制御部３３は、図３に示すように、車載機情報取得ユニット４３と、車種区分検出ユニット４５と、改善判断ユニット４７と、乗車履歴判断ユニット４９と、ドライバ指定ユニット５０と、出力ユニット５２と、を備える。
【００１７】
制御部３３に含まれる各部の機能を実現する手法はソフトウェアに限るものではなく、その一部又は全部の機能は、一つあるいは複数のハードウェアを用いて実現されてもよい。例えば、上記機能がハードウェアである電子回路によって実現される場合、その電子回路は、デジタル回路、又はアナログ回路、あるいはこれらの組合せによって実現されてもよい。
【００１８】
入力部３４は、安全運転診断装置５のオペレータの入力操作を受け付ける。通信部３５は、インターネット３１を介して、車載機３との間で通信を行う。また、通信部３５は、インターネット３１を介して、外部装置５１との間で通信を行う。外部装置５１として、例えば、事業者のコンピュータ、監視員のコンピュータ等が挙げられる。データベース３７は情報を記憶することができる。
【００１９】
２．車載機３が実行する処理
車載機３が実行する処理を、図４、図５に基づき説明する。この処理は、車両７の運行開始時に開始される。図４のステップ１では、識別情報取得ユニット２０が、免許証読取部２３を用いて、ドライバが保持する運転免許証からドライバの識別情報を取得する。
【００２０】
ステップ２では、車両情報取得ユニット１３が、センサ群２１を用いて車両情報を取得する。
ステップ３では、車両情報取得ユニット１３が、前記ステップ２で取得した車両情報をデータベース２９に記憶する。
【００２１】
ステップ４では、運行判断ユニット２２が、車両７の運行が終了したか否かを判断する。ドライバは、運行が終了したとき、運行が終了したことを表す入力（以下では終了入力とする）を入力部２５に行う。運行判断ユニット２２は、入力部２５に終了入力が行われた否かに応じて、車両７の運行が終了したか否かを判断する。運行が終了した場合、本処理はステップ５に進む。運行が終了していない場合、本処理はステップ２に進む。
【００２２】
ステップ５では、評価ユニット１５が、車両情報に基づき、安全運転に関する評価を行う。評価の方法は以下のとおりである。まず、評価ユニット１５は、データベース２９から、直前の運行の期間中に取得した車両情報を読み出す。評価ユニット１５は、読み出した車両情報を解析することで、複数の診断項目のそれぞれで点数を算出する。診断項目と、その診断項目における点数の算出方法として、例えば、以下のものがある。
【００２３】
急旋回に関する診断項目：急旋回があれば、急旋回がない場合に比べて点数が低い。急旋回の程度が著しいほど、点数が低い。
連続運転に関する診断項目：連続運転の時間が長いほど、点数が低い。
【００２４】
速度超過に関する診断項目：速度超過があれば、速度超過がない場合に比べて点数が低い。速度超過の程度が著しいほど、点数が低い。
急加減速に関する診断項目：急加減速の程度が著しいほど、点数が低い。
【００２５】
エンジン回転数に関する診断項目：エンジン回転数が適正範囲から外れると、適正範囲内である場合に比べて点数が低い。エンジン回転数が適正範囲から外れる程度が著しいほど、点数が低い。
アイドリング回転数に関する診断項目：アイドリング回転数が適正範囲から外れると、適正範囲内である場合に比べて点数が低い。アイドリング回転数が適正範囲から外れる程度が著しいほど、点数が低い。
【００２６】
交差点内の徐行に関する診断項目：交差店内で徐行しなかった場合は、徐行した場合に比べて点数が低い。
ウインカー点灯に関する診断項目：右左折するときにウインカーを点灯しなかった場合は、ウインカーを点灯した場合に比べて点数が低い。
【００２７】
評価ユニット１５は、各診断項目の点数を総合して、総合点を算出する。総合点は評価結果に対応する。総合点が高いほど、安全運転に関する評価の評価結果が良好である。
ステップ６では、車載機情報生成ユニット１７が車載機情報を生成する。図５に示すように、車載機情報５３は、前記ステップ５で得られた総合点５５と、車種区分５７と、前記ステップ１で取得したドライバの識別情報５９と、生成時刻６１と、を含む情報である。
【００２８】
車種区分５７は、車両７の車種区分である。ドライバは、入力部２５に車種区分５７を入力することができる。車載機情報生成ユニット１７は、入力部２５から車種区分５７を取得し、車載機情報５３の生成に使用することができる。
【００２９】
車種区分として、例えば、車両法に基づく車種区分、道路交通法に基づく車種区分等がある。車両法に基づく車種区分として、普通自動車、小型自動車、軽自動車、大型特殊自動車、小型特殊自動車がある。道路交通法に基づく車種区分として、大型自動車、中型自動車、準中型自動車、普通自動車、大型特殊自動車、大型自動二輪車、普通自動二輪車、小型特殊自動車がある。生成時刻６１は、車載機情報５３を生成した時刻である。
【００３０】
図４に戻り、ステップ７では、送信ユニット１９が、前記ステップ６で生成した車載機情報を、通信部２７を用いて安全運転診断装置５に送信する。
３．安全運転診断装置５が実行する情報蓄積処理  
安全運転診断装置５の車載機情報取得ユニット４３は、通信部３５を用いて車載機情報を取得する。取得する車載機情報は、前記ステップ７において車載機３が送信したものである。車載機情報取得ユニット４３は、取得した車載機情報をデータベース３７に蓄積する。
【００３１】
４．安全運転診断装置５が実行する指導判定処理
安全運転診断装置５が所定の間隔で繰り返し実行する指導判定処理を、図６〜図７に基づき説明する。ここでは、前記所定の間隔を一ヶ月とする。
【００３２】
ステップ１１では、ドライバ指定ユニット５０が、判定の対象となるドライバを指定する。安全運転診断装置５のオペレータは、ドライバを入力部３４に入力することができる。ドライバ指定ユニット５０は、入力部３４に入力されたドライバを指定する。
【００３３】
ステップ１２では、車種区分検出ユニット４５が、特定車種区分を検出する処理を実行する。この処理を以下で具体的に説明する。車種区分検出ユニット４５は、データベース３７に蓄積されている車載機情報のうち、前記ステップ１１で指定されたドライバの識別情報を含み、生成時刻が一ヶ月前から現在時刻までの間である車載機情報を読み出す。
【００３４】
車種区分検出ユニット４５は、読み出した車載機情報を、車種区分に応じて、複数のグループに分ける。１つのグループの中には、車種区分が共通する車載機情報が属する。車種区分検出ユニット４５は、それぞれのグループの中で、総合点の平均値を算出する。車種区分検出ユニット４５は、複数のグループの中で、総合点の平均値が最も低く、且つ、総合点の平均値が予め設定された基準点未満であるグループ（以下では特定グループとする）を探す。特定グループの車種区分を特定車種区分とする。基準点は、例えば、複数のドライバにおける総合点の平均値である。
【００３５】
なお、特定車種区分は、評価結果が予め設定された基準より悪い車種区分に対応する。また、特定車種区分は、複数の車種区分の中で評価結果が相対的に悪い車種区分に対応する。
ステップ１３では、前記ステップ１２の処理において特定車種区分が検出されたか否かを、車種区分検出ユニット４５が判断する。特定車種区分が検出された場合、本処理はステップ１４に進む。特定車種区分が検出されなかった場合、本処理はステップ１８に進む
ステップ１４では、特定車種区分の総合点が改善しているか否かを改善判断ユニット４７が判断する。この処理を以下で説明する。改善判断ユニット４７は、データベース３７に蓄積されている車載機情報のうち、前記ステップ１１で指定されたドライバの識別情報を含み、生成時刻がｎヶ月前から現在時刻までの間であり、車種区分が特定車種区分である車載機情報を読み出す。ｎは１より大きい数である。読み出された車載機情報は、特定車種区分、及び前記ステップ１１で指定されたドライバに対応する車載機情報に対応する。
【００３６】
改善判断ユニット４７は、図７に示すように、読み出した車載機情報に含まれる生成時刻と総合点とをグラフにプロットする。改善判断ユニット４７は、このグラフにおいて、総合点が、生成時刻が新しくなるにつれて改善しているか否かを判断する。総合点が改善してない場合、本処理はステップ１５に進む。総合点が改善している場合、本処理はステップ１７に進む。
【００３７】
ステップ１５では、乗車履歴判断ユニット４９が、データベース３７に蓄積されている車載機情報の中で、前記ステップ１１で指定されたドライバの識別情報を含み、生成時刻がｍヶ月前から１ヶ月前までの間であり、車種区分が特定車種区分である車載機情報（以下では直近乗車の車載機情報とする）を探す。ｍは１より大きい数である。
【００３８】
直近乗車の車載機情報が存在しないことは、「特定車種区分は、前記ステップ１１で指定されたドライバが、少なくとも、ｍヶ月前から１ヶ月前までの期間に乗車していなかった車種区分であること」を意味する。
【００３９】
直近乗車の車載機情報が存在することは、「特定車種区分は、前記ステップ１１で指定されたドライバが、ｍヶ月前から１ヶ月前までの期間に乗車していた車種区分であること」を意味する。
なお、ｍヶ月前から１ヶ月前までの期間は、前記ステップ１２において処理の対象となった車載機情報の生成時刻よりも前の期間に対応する。また、ｍヶ月前から１ヶ月前までの期間は、予め設定された期間に対応する。
【００４０】
「特定車種区分は、前記ステップ１１で指定されたドライバが、少なくとも、ｍヶ月前から１ヶ月前までの期間に乗車していなかった車種区分であること」に該当する場合、本処理はステップ１６に進む。「特定車種区分は、前記ステップ１１で指定されたドライバが、ｍヶ月前から１ヶ月前までの期間に乗車していた車種区分であること」に該当する場合、本処理はステップ１７に進む。
【００４１】
ステップ１６では、出力ユニット５２が、第１の指導不充分判定を、通信部３５を用いて外部装置５１に出力する。第１の指導不充分判定は、特定車種区分が存在し、総合点は改善しておらず、「特定車種区分は、前記ステップ１１で指定されたドライバが、少なくとも、ｍヶ月前から１ヶ月前までの期間に乗車していなかった車種区分であること」に該当することを意味する。
【００４２】
ステップ１７では、出力ユニット５２が、第２の指導不充分判定を、通信部３５を用いて外部装置５１に出力する。第２の指導不充分判定は、特定車種区分が存在し、総合点は改善しておらず、「特定車種区分は、前記ステップ１１で指定されたドライバが、ｍヶ月前から１ヶ月前までの期間に乗車していた車種区分であること」に該当することを意味する。
【００４３】
ステップ１８では、出力ユニット５２が、指導充分判定を、通信部３５を用いて外部装置５１に出力する。指導充分判定は、特定車種区分が存在しないか、特定車種区分が存在する場合でも総合点が改善していることを意味する。
【００４４】
４．安全運転診断システム１が奏する効果
（１Ａ）安全運転診断システム１は、特定車種区分を検出することができる。特定車種区分は、指導の必要性が高い車種区分である。安全運転診断システム１のユーザは、検出された特定車種区分においてドライバを指導することができる。
【００４５】
（１Ｂ）安全運転診断システム１は、特定車種区分が存在する場合でも、総合点が改善している場合は、指導充分判定を出力する。総合点が改善している場合は、特定車種区分においてドライバを指導する必要性が相対的に低い場合である。そのため、安全運転診断システム１によれば、ドライバに対し過剰な指導を行うことを抑制できる。
【００４６】
（１Ｃ）安全運転診断システム１は、「特定車種区分は、前記ステップ１１で指定されたドライバが、少なくとも、ｍヶ月前から１ヶ月前までの期間に乗車していなかった車種区分であること」に該当する場合は、第１の指導不充分判定を出力する。そのため、ユーザは、特定車種区分が発生した理由を理解することができる。
【００４７】
（１Ｄ）安全運転診断システム１は、複数の車種区分の中で総合点が相対的に低い車種区分を特定車種区分とする。そのため、特定車種区分を容易且つ適切に検出することができる。  
＜他の実施形態＞
以上、本開示の実施形態について説明したが、本開示は上述の実施形態に限定されることなく、種々変形して実施することができる。
【００４８】
（１）安全運転診断装置５は、他の方法で車載機情報を取得してもよい。例えば、車載機３において、記憶媒体に車載機情報を記憶することができる。記憶媒体として、例えば、ＳＤカード（登録商標）等が挙げられる。安全運転診断装置５は、記憶媒体から車載機情報を読み出すことができる。
【００４９】
（２）前記ステップ１２の処理では、総合点ではなく、一部の診断項目の点数を用いてもよい。
（３）前記ステップ１３で肯定判断した場合、本処理は常にステップ１５に進んでもよい。すなわち、前記ステップ１４の処理は省略してもよい。
【００５０】
（４）車載機３がドライバの識別情報を取得する方法は他の方法であってもよい。例えば、車載機３は、生体認証等の方法でドライバの識別情報を取得してもよい。
（５）安全運転診断装置５は、複数のドライバのそれぞれについて、図６に示す処理を自動的に行ってもよい。
【００５１】
（６）安全運転診断装置５が図６に示す処理を行う間隔は１ヶ月以外の間隔であってもよく、例えば、１週間、１日等とすることができる。
（７）前記ステップ１１で読み出す車載機情報は、生成時刻が一ヶ月前から現在時刻までの間である車載機情報でなくてもよい。例えば、生成時刻が１週間前から現在時刻までの間である車載機情報等を読み出してもよい。    
（８）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【００５２】
（９）上述した車載機、安全運転診断装置の他、当該車載機又は安全運転診断装置を構成要素とするシステム、車載機としてコンピュータを機能させるためのプログラム、安全運転診断装置の制御部としてコンピュータを機能させるためのプログラム、これらのプログラムのうちのいずれか１以上を記録した半導体メモリ等の非遷移的実態的記録媒体、安全運転診断方法等、種々の形態で本開示を実現することもできる。
【符号の説明】
【００５３】
１…安全運転診断システム、３…車載機、５…安全運転診断装置、７…車両、９…ＣＰＵ、１１…メモリ、１３…車両情報取得ユニット、１５…評価ユニット、１７…車載機情報生成ユニット、１９…送信ユニット、２０…識別情報取得ユニット、２１…センサ群、２２…運行判断ユニット、２３…免許証読取部、２５…入力部、２７…通信部、２９…データベース、３１…インターネット、３３…制御部、３４…入力部、３５…通信部、３７…データベース、３９…ＣＰＵ、４１…メモリ、４３…車載機情報取得ユニット、４５…車種区分検出ユニット、４７…改善判断ユニット、４９…乗車履歴判断ユニット、５０…ドライバ指定ユニット、５１…外部装置、５２…出力ユニット、５３…車載機情報、５５…総合点、５９…識別情報、６１…生成時刻
【図１】
2020071686.tif 000003
【図２】
2020071686.tif 000004
【図３】
2020071686.tif 000005
【図４】
2020071686.tif 000006
【図５】
2020071686.tif 000007
【図６】
2020071686.tif 000008
【図７】
2020071686.tif 000009